(57)【要約】【課題】Ｂｌｕｅｔｏｏｔｈを用いた通信において、送信側機器と受信側機器が、多数のプロファイルを持たなくても、プロファイル間の相互接続性を保障し、異なるプロファイルを持つ機器同士を接続することを可能とする。【解決手段】中継装置１００は、Ｂｌｕｅｔｏｏｔｈの問い合わせ手段とサービス検索手段を使い、通信圏内にいるＢｌｕｅｔｏｏｔｈ装置を検索し、検索した装置のデバイスクラスと所持するプロファイルと能力をメモリに記憶する。例えば携帯通信装置１０１は、自分の望む機能を持つ相手端末が問い合わせ手段とサービス検索手段で探索不可能なときに、中継装置１００へ他のＢｌｕｅｔｏｏｔｈ端末の検索要求を行う。中継装置１００は、要求条件を満たす通信先Ｂｌｕｅｔｏｏｔｈ端末を、携帯通信装置１０１に通知し、選択したＢｌｕｅｔｏｏｔｈ端末との間で必要なプロファイル変換を行う。【選択図】  図１
2009060163.tif 000002
【特許請求の範囲】
【請求項１】
無線通信を用いて、画像やデータの転送を行う無線通信システムにおいて、
中継装置は、問い合わせ手段とサービス検索手段を使い、通信圏内にいる無線装置を検索し、前記無線装置のデバイスクラスと所持するプロファイルと能力をメモリに記憶し、
他の無線端末は、望む機能を持つ相手端末が問い合わせ手段とサービス検索手段で探索不可能なときに、前記中継装置へ他の相手端末の検索要求を行い、
前記中継装置は、要求条件を満たす通信先となる相手端末を、前記他の無線端末に通知し、前記中継装置は、選択された前記通信先となる相手端末との間で必要なプロファイル変換を行うことを特徴とする無線通信システム。
【請求項２】
無線通信を用いて、画像やデータの転送を行う無線通信方法において、
中継装置が、問い合わせ手段とサービス検索手段を使って通信圏内にいる無線装置を検索し、前記無線装置のデバイスクラスと所持するプロファイルと能力をメモリに記憶する工程と、
他の無線端末が、望む機能を持つ相手端末が問い合わせ手段とサービス検索手段で探索不可能なときに、前記中継装置へ他の相手端末の検索要求を行い、前記中継装置が、要求条件を満たす通信先の相手端末を、前記他の無線端末に通知する工程と、
前記中継装置が、選択された前記通信先となる相手端末との間で必要なプロファイル変換を行う工程とを有することを特徴とする無線通信方法。
【請求項３】
無線通信を用いて、画像やデータの転送を行う無線通信方法をコンピュータに実行させるためのプログラムであって、
中継装置が、問い合わせ手段とサービス検索手段を使って通信圏内にいる無線装置を検索し、前記無線装置のデバイスクラスと所持するプロファイルと能力をメモリに記憶するステップと、
他の無線端末が、望む機能を持つ相手端末が問い合わせ手段とサービス検索手段で探索不可能なときに、前記中継装置へ他の相手端末の検索要求を行い、前記中継装置が、要求条件を満たす通信先の相手端末を、前記他の無線端末に通知するステップと、
前記中継装置が、選択された前記通信先となる相手端末との間で必要なプロファイル変換を行うステップとをコンピュータに実行させるためのプログラム。
【発明の詳細な説明】
【技術分野】
【０００１】
本発明は、例えばＢｌｕｅｔｏｏｔｈを代表とする近距離無線通信方式により、複数の無線端末との通信を行うことの可能な無線通信システム等に関するものである。
【背景技術】
【０００２】
近年、近距離無線通信技術として、Ｂｌｕｅｔｏｏｔｈが広範囲のアプリケーションを想定して規格化されている。Ｂｌｕｅｔｏｏｔｈの規格は、業界団体であるＢｌｕｅｔｏｏｔｈ ＳＩＧ(Ｓｐｅｃｉａｌ Ｉｎｔｅｒｅｓｔ Ｇｒｏｕｐ)が策定している。
【０００３】
Ｂｌｕｅｔｏｏｔｈには、Ｂｌｕｅｔｏｏｔｈコア(Ｃｏｒｅ)仕様と呼ばれる、物理層（ＲＦ）とベースバンド層（ＢＢ）のハード仕様がある。
【０００４】
また、リンク管理層（Ｌｉｎｋ  Ｍａｎａｇｅｒ）と論理リンク管理層（Ｌ２ＣＡＰ： Ｌｏｇｉｃａｌ Ｌｉｎｋ Ｃｏｎｔｒｏｌ ａｎｄ Ａｄａｐｔａｔｉｏｎ ｐｒｏｔｏｃｏｌ）などのソフト仕様が基本となる。
【０００５】
また、コア仕様の上位層には、プロファイル（Ｐｒｏｆｉｌｅ）仕様と呼ばれるアプリケーション層が規定されている。このプロファイルは、アプリケーション毎に用途が定められ、最初の規格では１３種類のプロファイルが規定されている。
【０００６】
Ｂｌｕｅｔｏｏｔｈ ＳＩＧでは、Ｂｌｕｅｔｏｏｔｈが普及する為には、製造メーカが異なっていても機器の接続性が問題なくつながることが重要と考え、相互接続性を保障するために、このプロファイルで、プロトコルレイヤ構造とメッセージを規定している。
【０００７】
このプロファイルの中で画像などのオブジェクトを扱うプロファイルとして、ＯＰＰ(Ｏｂｊｅｃｔ Ｐｕｓｈ Ｐｒｏｆｉｌｅ)が規定されている。
【０００８】
このＯＰＰは、基本的に一方通行のオブジェクト転送を定義しており、その主な目的は、ビジネスカードの交換である。しかし、ＯＰＰでは、ビジネスカードの他にも、ノート形式、メッセージ形式やカレンダ形式のオブジェクトやいろいろなタイプのオブジェクトを扱うことが出来る。
【０００９】
また、現在Ｂｌｕｅｔｏｏｔｈ ＳＩＧでは、新たなプロファイルの規格化を行っている。その中でも静止画を扱う機器のために用いられるＢＩＰ（Ｂａｓｉｃ Ｉｍａｇｅ Ｐｒｏｆｉｌｅ）は、ＯＰＰなどオブジェクト転送プロファイルの機能不足を補完する目的を持つ。
【００１０】
例えば、ＯＰＰでは、静止画データは、ひとつの静止画ファイルとして転送されるが、受信側では、ファイルを受信し終わるまで、受信したファイルの容量、符号化方式、解像度などがわからず、ファイルを受信しても処理或いは表示可能かどうかが不明である。
したがって、ファイルが大きすぎて受信が不可能であったり、受信しても復号化方法が一致しなく表示できなかったりして、相互接続性を損なうなどしていた。
【００１１】
ＢＩＰでは、静止画を送信する前に、送受信側それぞれの機器で、相手が扱うことが出来る画像属性をネゴシエーションし、互いに表示、蓄積可能なフォーマットに変えて転送する。
このようにすることで、携帯電話、パソコン、デジタルカメラなど、表示能力、符号化・復号化能力の違う機器間でも、静止画の送受信を可能としている。
【００１２】
しかし、ＯＰＰとＢＩＰのように静止画を扱えるプロファイルが２つあることによる問題もある。
【００１３】
従来からあるＯＰＰを持つ機器から、ＢＩＰを持つ機器に静止画を送ろうとしても、プロファイルが違う為、送れない。Ｂｌｕｅｔｏｏｔｈが出始めた初期の静止画を扱う機器は、ＯＰＰを持っている機器が多く、最近の静止画を扱う機器はＢＩＰを持っている機器が多いため、余計に接続性が低下している。
【００１４】
このような問題に対処する為、特開２００３−２０９７８２号公報では、画像データの受信側装置がサポートするプロファイルに応じて、ＢＩＰとＯＰＰのいずれかを選択してデータ交換手順に従って画像データを無線送信する。
【００１５】
【特許文献１】特開２００３−２０９７８２号公報
【非特許文献１】Bluetooth SIG, Specification of the Bluetooth System, version 1.1, Feb 2001.Bluetooth SIG, Basic Imaging Profile, version 1.0, Jul 2003.
【発明の開示】
【発明が解決しようとする課題】
【００１６】
ＯＰＰ等の初期のプロファイルが抱える諸問題を解決し、更なる相互接続性と利便性を確保できるＢＩＰであるが、ＯＰＰを持った通信機器が圧倒的に多数を占める現状では、その有用性を完全に引き出すことは出来ない。
【００１７】
また、従来例で示した特開２００３−２０９７８２号公報においても、静止画の送信側装置は、ＯＰＰとＢＩＰの２つのプロファイルを持っていなくては、受信側装置の持つプロファイルにはやはり対応できない。
【００１８】
この問題は、ＯＰＰとＢＩＰだけではなく、他のプロファイル間の関係についても同じであり、多くの機器と様々な機能(プロファイル)で相互接続するためには、多くのプロファイルをサポートする必要がある。
【００１９】
本発明の課題は、Ｂｌｕｅｔｏｏｔｈを用いた通信において、送信側機器と受信側機器が、多数のプロファイルを持たなくても、プロファイル間の相互接続性を保障し、異なるプロファイルを持つ機器同士を接続する無線通信システムを提供することである。
【課題を解決するための手段】
【００２０】
本発明の無線通信システムは、無線通信を用いて、画像やデータの転送を行う無線通信システムにおいて、中継装置は、問い合わせ手段とサービス検索手段を使い、通信圏内にいる無線装置を検索し、前記無線装置のデバイスクラスと所持するプロファイルと能力をメモリに記憶し、他の無線端末は、望む機能を持つ相手端末が問い合わせ手段とサービス検索手段で探索不可能なときに、前記中継装置へ他の相手端末の検索要求を行い、前記中継装置は、要求条件を満たす通信先となる相手端末を、前記他の無線端末に通知し、前記中継装置は、選択された前記通信先となる相手端末との間で必要なプロファイル変換を行うことを特徴とする。
また、本発明の無線通信方法は、無線通信を用いて、画像やデータの転送を行う無線通信方法において、中継装置が、問い合わせ手段とサービス検索手段を使って通信圏内にいる無線装置を検索し、前記無線装置のデバイスクラスと所持するプロファイルと能力をメモリに記憶する工程と、他の無線端末が、望む機能を持つ相手端末が問い合わせ手段とサービス検索手段で探索不可能なときに、前記中継装置へ他の相手端末の検索要求を行い、前記中継装置が、要求条件を満たす通信先の相手端末を、前記他の無線端末に通知する工程と、前記中継装置が、選択された前記通信先となる相手端末との間で必要なプロファイル変換を行う工程とを有することを特徴とする。
また、本発明のプログラムは、無線通信を用いて、画像やデータの転送を行う無線通信方法をコンピュータに実行させるためのプログラムであって、中継装置が、問い合わせ手段とサービス検索手段を使って通信圏内にいる無線装置を検索し、前記無線装置のデバイスクラスと所持するプロファイルと能力をメモリに記憶するステップと、他の無線端末が、望む機能を持つ相手端末が問い合わせ手段とサービス検索手段で探索不可能なときに、前記中継装置へ他の相手端末の検索要求を行い、前記中継装置が、要求条件を満たす通信先の相手端末を、前記他の無線端末に通知するステップと、前記中継装置が、選択された前記通信先となる相手端末との間で必要なプロファイル変換を行うステップとをコンピュータに実行させるためのプログラムである。
【発明の効果】
【００２１】
この発明の無線通信システムによれば、自分の通信範囲内に、所望の相手無線通信端末がいなくても、中継装置に問合せることにより、通信相手を表示されたリストから選択し、通信することが可能となる。
【発明を実施するための最良の形態】
【００２２】
（第１の実施の形態）
本発明は、無線通信を用いて、画像やデータの転送を行う無線通信システムである。無線通信システムにおいて、中継装置は、Ｂｌｕｅｔｏｏｔｈの問い合わせ手段とサービス検索手段を使い、通信圏内にいるＢｌｕｅｔｏｏｔｈ装置を検索して前記Ｂｌｕｅｔｏｏｔｈ装置のデバイスクラスと所持するプロファイルと能力をメモリに記憶する。
他のＢｌｕｅｔｏｏｔｈ端末（無線端末）は、自分の望む所望の機能を持つ相手端末が問い合わせ手段とサービス検索手段で探索不可能なときに、前記中継装置へ前記他Ｂｌｕｅｔｏｏｔｈ端末の検索要求を行なう。
そして前記中継装置は、要求条件を満たす通信先Ｂｌｕｅｔｏｏｔｈ端末を、前記Ｂｌｕｅｔｏｏｔｈ端末に通知し、前期中継装置は、選択した前記Ｂｌｕｅｔｏｏｔｈ端末との間で必要なプロファイル変換を行う。
【００２３】
以下、本発明の実施の形態に係る画像通信システムを図面に基づいて詳細に説明する。図１は、本発明の実施の形態に係る無線通信システムの全体構成を示す図である。
【００２４】
図１において、中継装置１００、携帯通信装置１０１、撮像装置１０２、印刷装置１０３、及びＰＤＡ１０４は、Ｂｌｕｅｔｏｏｔｈ規格に基づく通信等のスペクトラム拡散方式の無線通信により相互にコマンド、撮影画像を含むデータを送受信することができる。
【００２５】
また、中継装置１００は、各Ｂｌｕｅｔｏｏｔｈ端末間の無線通信を中継し、プロファイルに関するフロー制御を行う。
【００２６】
図２は、図１における撮像装置１０２の概略構成を示すブロック図である。図２において、撮像装置１０２は、保護手段１３、撮影レンズ１０、シャッタ１２、撮像素子１４、Ａ／Ｄ変換器１６、タイミング発生回路１８、画像処理回路２０、メモリ制御回路２２、画像表示メモリ２４、及びＤ／Ａ変換器２６を備えている。
【００２７】
撮像装置１０２はまた、画像表示手段２８、メモリ３０、圧縮・伸長回路３２、光学ファインダ１５、通信手段９１、アンテナ９０、システム制御回路５０、及び露光制御手段４０を備えている。
【００２８】
撮像装置１０２はまた、測距制御手段４２、ズーム制御手段４４、バリア制御手段４６、フラッシュ４８、電源制御手段８０、コネクタ８２、８４を備えている。
【００２９】
撮像装置１０２はまた電源８６、メモリ５２、表示手段５４、不揮発性メモリ５６、識別情報５８、モードダイアルスイッチ６０、シャッタスイッチ６２、６４、単写／連写スイッチ６６、圧縮モードスイッチ６８、操作部７０、メインスイッチ７２を備えている。
【００３０】
上記構成を詳述すると、撮影レンズ１０は、被写体の光学像を取り込む。シャッタ１２は、絞り機能を備える。撮像素子１４は、撮影レンズ１０を介して取り込んだ光学像を電気信号に変換する。Ａ／Ｄ変換器１６は、撮像素子１４のアナログ信号出力をディジタル信号に変換する。
【００３１】
タイミング発生回路１８は、撮像素子１４、Ａ／Ｄ変換器１６、Ｄ／Ａ変換器２６にクロック信号や制御信号を供給する回路であり、メモリ制御回路２２及びシステム制御回路５０により制御される。
【００３２】
画像処理回路２０は、Ａ／Ｄ変換器１６からのデータ或いはメモリ制御回路２２からのデータに対して所定の画素補間処理や色変換処理を行う。また、画像処理回路２０においては、撮像した画像データを用いて所定の演算処理を行う。これによって得られた演算結果に基づいてシステム制御回路５０が露光制御手段４０、測距制御手段４２に対して制御を行う、ＴＴＬ方式のＡＦ処理、ＡＥ処理、ＥＦ処理を行っている。
【００３３】
更に、画像処理回路２０においては、撮像した画像データを用いて所定の演算処理を行い、得られた演算結果に基づいてＴＴＬ方式のＡＷＢ（オートホワイトバランス）処理も行っている。
【００３４】
メモリ制御回路２２は、Ａ／Ｄ変換器１６、タイミング発生回路１８、画像処理回路２０、画像表示メモリ２４、Ｄ／Ａ変換器２６、メモリ３０、圧縮・伸長回路３２を制御する。Ａ／Ｄ変換器１６のデータが画像処理回路２０、メモリ制御回路２２を介して、或いはＡ／Ｄ変換器１６のデータが直接メモリ制御回路２２を介して、画像表示メモリ２４或いはメモリ３０に書き込まれる。画像表示手段２８は、ＴＦＴ ＬＣＤ等から構成される。
【００３５】
画像表示メモリ２４に書き込まれた表示用の画像データは、Ｄ／Ａ変換器２６を介して画像表示手段２８により表示される。撮像した画像データを画像表示手段２８を用いて逐次表示すれば、電子ファインダ機能を実現することが可能である。
【００３６】
また、画像表示手段２８は、システム制御回路５０の指示により任意に表示をＯＮ／ＯＦＦすることが可能であり、表示をＯＦＦにした場合には撮像装置１０２の電力消費を大幅に低減することができる。
【００３７】
メモリ３０は、撮影した静止画像や動画像を格納するための揮発性メモリ及び或いは不揮発性メモリからなるメモリであり、所定枚数の静止画像や所定時間の動画像を格納するのに十分な記憶量を備えている。これにより、複数枚の静止画像を連続して撮影する連写撮影やパノラマ撮影の場合にも、高速且つ大量の画像書き込みをメモリ３０に対して行うことが可能となる。
【００３８】
また、メモリ３０は、システム制御回路５０の作業領域としても使用することが可能である。
【００３９】
圧縮・伸長回路３２は、適応離散コサイン変換（ＡＤＣＴ）等により画像データを圧縮・伸長する回路であり、メモリ３０に格納された画像データを読み込んで圧縮処理或いは伸長処理を行い、処理を終えた画像データをメモリ３０に書き込む。
【００４０】
露光制御手段４０は、絞り機能を備えるシャッタ１２を制御するものであり、フラッシュ４８と連携することによりフラッシュ調光機能も有するものである。
【００４１】
測距制御手段４２は、撮影レンズ１０のフォーカシングを制御する。ズーム制御手段４４は、撮影レンズ１０のズーミングを制御する。
【００４２】
バリア制御手段４６はバリアである保護手段１３の動作を制御する。フラッシュ４８は、ＡＦ補助光の投光機能、フラッシュ調光機能も有する。
【００４３】
露光制御手段４０、測距制御手段４２はＴＴＬ方式を用いて制御されており、撮像した画像データを画像処理回路２０によって演算した演算結果に基づき、システム制御回路５０が露光制御手段４０、測距制御手段４２に対して制御を行う。
【００４４】
システム制御回路５０は、撮像装置１０２全体を制御する。メモリ５２は、システム制御回路５０の動作用の定数、変数、プログラム等を記憶する。
【００４５】
表示手段５４は、システム制御回路５０でのプログラムの実行に応じて、文字、画像、音声等を用いて動作状態やメッセージ等を表示する液晶表示装置、スピーカ等である。
【００４６】
撮像装置１０２の操作部近辺の視認し易い位置に単数或いは複数設置され、例えばＬＣＤやＬＥＤ、発音素子等の組み合わせにより構成されている。
【００４７】
また、表示手段５４は、その一部の機能が光学ファインダ１５内に設置されている。表示手段５４の表示内容のうち、ＬＣＤ等に表示するものとしては、シングルショット／連写撮影表示、セルフタイマ表示、圧縮率表示、記録画素数表示等がある。また、記録枚数表示、残撮影可能枚数表示、シャッタスピード表示、絞り値表示、露出補正表示、フラッシュ表示、赤目緩和表示、マクロ撮影表示、ブザー設定表示がある。また、時計用電池残量表示、電池残量表示、エラー表示、複数桁の数字による情報表示、通信Ｉ／Ｆ動作表示、日付・時刻表示、等がある。
【００４８】
また、表示手段５４の表示内容のうち、光学ファインダ１５内に表示するものとしては、合焦表示、手振れ警告表示、フラッシュ充電表示、シャッタスピード表示、絞り値表示、露出補正表示、等がある。
【００４９】
不揮発性メモリ５６は、電気的に消去・記録可能なメモリであり、例えばＥＥＰＲＯＭ等が用いられる。
【００５０】
識別情報５８には、通信手段９１、アンテナ９０を介して携帯通信装置１０１等と通信を行う際に通信に先立って認証を行うための各種識別情報が格納されている。
【００５１】
モードダイアルスイッチ６０、シャッタスイッチ６２、６４、単写／連写スイッチ６６、圧縮モードスイッチ６８、操作部７０及びメインスイッチ７２は、システム制御回路５０の各種の動作指示を入力するための操作手段である。スイッチやダイアル、タッチパネル、視線検知によるポインティング、音声認識装置等の単数或いは複数の組み合わせで構成される。
【００５２】
ここで、これらの操作手段の具体的な説明を行う。メインスイッチ７２は、電源オン及び電源オフを切り替え設定することができる。モードダイアルスイッチ６０は、自動撮影モード、撮影モード、パノラマ撮影モード、再生モード、マルチ画面再生・消去モード、ＰＣ（パーソナルコンピュータ）接続モード等の各機能モードを切り替え設定することができる。
【００５３】
シャッタスイッチＳＷ１・６２は、不図示のシャッタボタンの操作途中でＯＮとなり、ＡＦ（オートフォーカス）処理、ＡＥ（自動露出）処理、ＡＷＢ（オートホワイトバランス）処理、ＥＦ（フラッシュプリ発光）処理等の動作開始を指示する。
【００５４】
シャッタスイッチＳＷ２・６４は、シャッタボタンの操作完了でＯＮとなり、撮像素子１４から読み出した信号をＡ／Ｄ変換器１６、露光処理、画像処理回路２０、現像処理、圧縮を行い、記録媒体２００に画像データを書き込む記録処理の動作開始を指示する。
【００５５】
単写／連写スイッチ６６は、シャッタスイッチＳＷ２・６４を押した場合に１コマの撮影を行って待機状態とする単写モードと、シャッタスイッチＳＷ２・６４を押している間は連続して撮影を行い続ける連写モードを設定することができる。
【００５６】
圧縮モードスイッチ６８は、ＪＰＥＧ（Ｊｏｉｎｔ Ｐｈｏｔｏｇｒａｐｈｉｃ Ｅｘｐｅｒｔｓ Ｇｒｏｕｐ）圧縮の圧縮率を選択するため或いは撮像素子１４の信号をそのままディジタル化して記録媒体に記録するＣＣＤＲＡＷモードを選択することができる。
【００５７】
操作部７０は各種ボタンやタッチパネル等から構成され、メニューボタン、セットボタン、マクロボタン、マルチ画面再生改ページボタン、フラッシュ設定ボタン、セルフタイマボタン、メニュー移動（プラス）ボタン、メニュー移動（マイナス）ボタンを有する。また、再生画像移動（プラス）ボタン、再生画像移動（マイナス）ボタン、撮影画質選択ボタン、露出補正ボタン、日付／時間設定ボタン、再生モード／マイナス画面再生・消去モード／ＰＣ接続モード等の各機能モードを設定することができる再生スイッチを有する。また、ワンショットＡＦモードとサーボＡＦモードとを設定することができるＡＦモード設定スイッチを有する。ワンショットＡＦモードはシャッタスイッチＳＷ１・６２を押してＡＦ動作を開始し一旦合焦したならばその合焦状態を保ち続けるモードである。サーボＡＦモードはシャッタスイッチＳＷ１・６２を押している間は連続してＡＦ動作を続けるモードである。
【００５８】
また、画像表示手段２８のＯＮ／ＯＦＦを設定する画像表示ＯＮ／ＯＦＦする、撮影直後に撮影した画像データを自動再生するクイックレビュー機能を設定するクイックレビューＯＮ／ＯＦＦスイッチ等がある。
【００５９】
尚、上記プラスボタン及びマイナスボタンの各機能は、回転ダイアルスイッチを備えることによって、より軽快に数値や機能を選択することが可能となる。
【００６０】
電源制御手段８０は、電池検出回路、ＤＣ−ＤＣコンバータ、各種スイッチ回路等により構成されており、電池の装着の有無、電池の種類、電池残量の検出を行い、検出結果及びシステム制御回路５０の指示に基づいてＤＣ−ＤＣコンバータを制御する。これは必要な電圧を必要な期間、記録媒体を含む各部へ供給する。
【００６１】
電源８６は、アルカリ電池やリチウム電池等の一次電池やＮｉＣｄ電池やＮｉＭＨ電池、Ｌｉ−ｉｏｎ電池等の二次電池、ＡＣアダプタ等から構成されている。
【００６２】
保護手段１３は、撮像装置１０２の撮影レンズ１０を含む撮像部を覆うことにより、撮像部の汚れや破損を防止するバリアである。光学ファインダ１５は、画像表示手段２８による電子ファインダ機能を使用すること無しに、光学ファインダのみを用いて撮影を行うことが可能である。
【００６３】
また、光学ファインダ１５内には、表示手段５４の一部の機能、例えば、合焦表示、手振れ警告表示、フラッシュ充電表示、シャッタスピード表示、絞り値表示、露出補正表示などが設置されている。
【００６４】
通信手段９１は、Ｂｌｕｅｔｏｏｔｈ等のスペクトラム拡散通信等の各種近距離高速データ通信機能を有する。アンテナ９０は、通信手段９１により撮像装置１０２を他の機器と接続する。
【００６５】
尚、本実施形態では図示していないが、記録媒体を取り付けるインタフェース及びコネクタを、単数或いは複数いずれの系統数を備える構成としても構わない。
【００６６】
また、異なる規格のインタフェース及びコネクタを組み合わせて備える構成としても構わない。インタフェース及びコネクタとしては、ＰＣＭＣＩＡカードやＣＦカード、ＭＭＣ等の規格に準拠したものを用いて構成しても構わない。
【００６７】
更にインタフェースをＰＣＭＣＩＡカード等の規格に準拠したものを用いて構成した場合、ＬＡＮカードやモデムカード等の通信カード等の各種通信カードを接続することにより、他のコンピュータや周辺機器との間でデータや管理情報を転送し合うことができる。
【００６８】
図３は、図１における携帯通信装置１０１の詳細構成を示すブロック図である。
【００６９】
図３において、携帯通信装置１０１は、マイク３１０、スピーカ３１８、Ａ／Ｄ変換器３１２、Ｄ／Ａ変換器３１６、メモリ制御回路３１４を備えている。携帯通信装置１０１はまた、メモリ３２０、Ｄ／Ａ変換器３２２、画像表示手段３２４、アンテナ３２８、通信手段３２６、インタフェース３９０、コネクタ３９２、及びアンテナ３３２を備えている。
【００７０】
携帯通信装置１０１はまた、通信手段３３０、通信システム制御回路３５０、識別情報３５６、電源制御手段３８０、コネクタ３８２、３８４、及び電源３８６を備えている。携帯通信装置１０１はまた、メモリ３５２、不揮発性メモリ３５４、表示手段３６０、操作手段３６２、着信通知手段３６４、及び記録媒体着脱検知手段３６６を備えている。
【００７１】
マイク３１０は、音声を電気信号に変換する。Ａ／Ｄ変換器３１２は、マイク３１０のアナログ出力信号をディジタル信号に変換する。
【００７２】
メモリ制御回路３１４は、Ａ／Ｄ変換器３１２の出力データのメモリ３２０への書き込み／読み出し、メモリ３２０から読み出されたデータのＤ／Ａ変換器３１６への入力を制御する。
【００７３】
Ｄ／Ａ変換器３１６は、ディジタル信号をアナログ信号に変換する。スピーカ３１８は、電気信号を音声信号に変換する。
【００７４】
メモリ３２０は、マイク３１０で入力した音声及び或いは撮像装置１０２から送信された静止画像や動画像を格納するものであり、所定時間の音声及び或いは所定枚数の静止画像、所定時間の動画像を格納するのに十分な記憶量を備えている。
【００７５】
Ｄ／Ａ変換器３２２は、メモリ３２０に格納された静止画像データや動画像データをアナログ信号に変換する。画像表示手段３２４は、Ｄ／Ａ変換器３２２の出力画像信号を表示する。
【００７６】
通信手段３２６は、ＴＤＭＡ（時分割多重）、ＣＤＭＡ（符号分割多重）、Ｗ−ＣＤＭＡ（広帯域符号分割多重）等の各種遠距離無線通信機能を有する。
【００７７】
アンテナ３２８は、通信手段３２６により携帯通信装置１０１を他の通信装置及び或いは通信基地局と回線接続する。
【００７８】
通信手段３３０は、Ｂｌｕｅｔｏｏｔｈ等のスペクトラム拡散通信の各種近距離高速データ通信機能を有する。
【００７９】
アンテナ３３２は、通信手段３３０により携帯通信装置１０１を他の機器と接続する。
【００８０】
通信システム制御回路３５０は、携帯通信装置１０１全体を制御する。
【００８１】
メモリ３５２は、通信システム制御回路３５０の動作用の定数、変数、プログラム等を記憶する。不揮発性メモリ３５４は、電気的に消去可能なメモリであり、例えばＥＥＰＲＯＭ等が用いられる。
【００８２】
識別情報３５６には、通信手段３３０、アンテナ３３２を介して撮像装置１０２と通信を行う際に通信に先立って認証を行うための各種識別情報が格納されている。
【００８３】
表示手段３６０は、通信システム制御回路３５０でのプログラムの実行に応じて、文字、画像、音声等を用いて動作状態やメッセージ等を表示する液晶表示装置、スピーカ等であり、通信装置３００の操作手段近辺の視認し易い位置に単数或いは複数設置される。例えばＬＣＤやＬＥＤ、発音素子等の組み合わせにより構成されている。
【００８４】
操作手段３６２は、通信システム制御回路３５０の各種の動作指示を入力するためのものであり、スイッチやダイアル、タッチパネル、視線検知によるポインティング、音声認識装置等の単数或いは複数の組み合わせで構成される。
【００８５】
操作手段３６２によれば、携帯通信装置１０１の電源オン／オフ、通話の実行（オフフック）／停止（オンフック）、電話番号入力、電話番号検索、通信モード切り替え、等の操作を行うことができる。
【００８６】
着信通知手段３６４は、他の通信装置や通信基地局から通話の着信があった場合に、呼出し音、発声音、音楽等の音声及び或いはアイコン、動画、静止画、発光等の画像及び或いは振動等により携帯通信装置１０１の使用者に着信を通知することができる。
【００８７】
電源制御手段３８０は、電池検出回路、ＤＣ−ＤＣコンバータ、通電するブロックを切り替えるスイッチ回路等により構成されており、電池の装着の有無、電池の種類、電池残量の検出を行なう。検出結果及び通信システム制御回路３５０の指示に基づいてＤＣ−ＤＣコンバータを制御し、必要な電圧を必要な期間、記録媒体を含む各部へ供給する。
【００８８】
電源３８６は、アルカリ電池やリチウム電池等の一次電池やＮｉＣｄ電池やＮｉＭＨ電池、Ｌｉ−ｉｏｎ電池等の二次電池、ＡＣアダプタ等から構成されている。
【００８９】
尚、本実施形態では図示していないが、記録媒体を取り付けるインタフェース及びコネクタを、単数或いは複数いずれの系統数を備える構成としても構わない。また、異なる規格のインタフェース及びコネクタを組み合わせて備える構成としても構わない。
【００９０】
インタフェース及びコネクタとしては、ＰＣＭＣＩＡカードやＣＦカード、ＭＭＣ等の規格に準拠したものを用いて構成しても構わない。
【００９１】
更にインタフェース、そしてコネクタをＰＣＭＣＩＡカードやＣＦカード等の規格に準拠したものを用いて構成した場合、ＬＡＮカード等の各種通信カードを接続することにより、他のコンピュータや周辺機器との間でデータや管理情報を転送し合うことができる。
【００９２】
以上のように、図２の撮像装置１０２は、撮影レンズ１０を通して撮像した画像データを図示していない記録媒体に記憶し、通信手段９１、アンテナ９０を介して図３の携帯通信装置１０１に送信する。
【００９３】
携帯通信装置１０１は、アンテナ３３２、通信手段３３０を介して受信した画像データを図示していない着脱可能な記録媒体に記録すると共に、通信手段３２６、アンテナ３２８を介して公衆通信網を介して他の通信装置又は通信基地局に送信することができる。
【００９４】
図４は、本実施形態の中継装置１００の機能ブロック図である。無線部４０１は無線信号の送受信を行い、Ｂｌｕｅｔｏｏｔｈでは２．４ＧＨｚ周波数帯域を使用した周波数ホッピング型のスペクトラム拡散方式が採用されている。なお、４００はアンテナである。
【００９５】
ベースバンド処理部４０２は、上位層から受け渡されるデータを送受信する為の通信リンクの提供、物理層に対する周波数ホッピングを管理する為の、送受信周波数の指定・切り替え制御、時間スロットの管理などを行う。
【００９６】
さらに、パケットの再送、誤り訂正と検出の処理も行う。フラッシュメモリ４０３は、データの一時的な記憶領域である。
【００９７】
リンク制御部４０４は、通信リンク上で送受信パケットをやり取りするプロトコルとして定義されており、通信リンクの設定や切断のほか、誤接続防止のための接続認証と、盗聴防止のための暗号化機能を行う。
【００９８】
制御部４０５は、以上の各部を制御すると主に、上位層の通信プロトコルの制御を行う。ＲＡＭ４０６はワークエリア用のメモリ、ＲＯＭ４０７は制御プログラムを格納するメモリである。
【００９９】
表示部４０９は、ＬＣＤ、ＴＦＴなどの画面を持ち、各種設定の状態、送受信される画像を表示する。操作部４０８は、各種設定を行なう為のユーザインタフェースを提供する。
【０１００】
図５は、本実施形態の中継装置１００が、携帯通信装置１０１、撮像装置１０２、印刷装置１０３、ＰＤＡ１０４と、問い合わせ（Ｉｎｑｕｉｒｙ）やサービス検索（ＳＤＰ）を行いながらＲＡＭ４０６に記憶する各装置のサービスクラスと能力を示す図である。
【０１０１】
図中のＢＤ＿ＡＤＤＲは、各装置の４８ビットＢｌｕｅｔｏｏｔｈアドレスを表す。Ｍａｊｏｒ Ｓｅｒｖｉｃｅ Ｃｌａｓｓは、サービスカテゴリを規定し、電話系、オブジェクト送信系や入力装置系など７種類がＢｌｕｅｔｏｏｔｈ ＳＩＧが発行するＡｓｓｉｇｎｅｄ Ｎｕｍｂｅｒｓ Ｓｐｅｃｉｆｉｃａｔｉｏｎに規定されている。
【０１０２】
Ｄｅｖｉｃｅ Ｃｌａｓｓは、２種類に分かれ、ＭａｊｏｒとＭｉｎｏｒの各クラスによって、デバイスの種類を詳細に規定している。
【０１０３】
Ｍａｊｏｒ Ｄｅｖｉｃｅ Ｃｌａｓｓは、Ｃｏｍｐｕｔｅｒ(デスクトップ、ノートブックなど)、Ｉｍａｇｉｎｇ（カメラ、プリンタなど）などがある。各Ｍａｊｏｒ Ｄｅｖｉｃｅ Ｃｌａｓｓそれぞれに更にＭｉｎｏｒ Ｄｅｖｉｃｅ Ｃｌａｓｓが定義されている。
【０１０４】
また、Ｐｒｏｆｉｌｅは、サービス検索から引き出され、ＯＰＰ、ＢＩＰなどが記憶される。更に各Ｐｒｏｆｉｌｅごとに、能力を記憶する。
【０１０５】
図６は、本実施形態の中継装置１００が、携帯通信装置１０１、撮像装置１０２、印刷装置１０３、ＰＤＡ１０４と、問い合わせ（Ｉｎｑｕｉｒｙ)やサービス検索（ＳＤＰ）を行うシーケンスを説明する図である。なお、本処理は、本発明でいう中継装置の問い合わせ手段及びサービス検索手段による処理に対応する。
【０１０６】
中継装置１００は、まず問合せ（Ｉｎｑｕｉｒｙ）によって、電波の届く範囲にあるＢｌｕｅｔｏｏｔｈ装置に問合せる(６００)。問合せは、ＩＱパケットとよばれるパケットをブロードキャストで送信する。このＩＱパケットを受信した各Ｂｌｕｅｔｏｏｔｈ装置は、応答としてＦＨＳパケットをそれぞれ返信する(６０１)。ＦＨＳパケットには、応答したＢｌｕｅｔｏｏｔｈ装置のＢｌｕｅｔｏｏｔｈアドレス、Ｍａｊｏｒ Ｓｅｒｖｉｃｅ ＣｌａｓｓやＤｅｖｉｃｅ Ｃｌａｓｓがふくまれており、中継装置１００は、図５に示すメモリに記憶する。次に、中継装置１００は、応答した各Ｂｌｕｅｔｏｏｔｈ装置に対して、サービス検索（ＳＤＰ）を行い、装置間でどのようなサービスが利用可能かを問合せる（６０２）。その結果、各Ｂｌｕｅｔｏｏｔｈ装置が自分で保持しているサービスを記述したサービスレコードを返答し、中継装置１００は、各Ｂｌｕｅｔｏｏｔｈ装置が対応するＰｒｏｆｉｌｅを図５に示すメモリに記憶する。
【０１０７】
また、中継装置１００は、各Ｂｌｕｅｔｏｏｔｈ装置が持つ能力を知る為、Ｐｒｏｆｉｌｅの機能或いは更に上位プロトコルを使って検索する。ＯＰＰの場合は、能力検索の仕様が備わっていない為、上位プロトコルを使って能力を検索し、図５に示すメモリに記憶する（６０３）。ＢＩＰの場合は、能力検索の仕様として、ＧｅｔＣａｐａｂｉｌｉｔｉｅｓが定められているので、それ使用し、図５に示すメモリに記憶する（６０４）。
【０１０８】
図７は、本実施形態の携帯通信装置１０１が、中継装置１００を経由して、撮像装置１０２とＢｌｕｅｔｏｏｔｈで通信するまでのシーケンスを説明する図である。携帯通信装置１０１は、ＯＰＰのみを所持し、撮像装置１０２は、ＢＩＰのみを所持するものとする。なお、本処理は、本発明でいう無線装置の問い合わせ手段及びサービス検索手段による処理に対応する。
【０１０９】
なお、中継装置１００は、既に図６のシーケンスにて、自分の通信圏内にいるＢｌｕｅｔｏｏｔｈ装置のＢＤ＿ＡＤＤＲ等を、図５のメモリに記憶しているものとする。
【０１１０】
携帯通信装置１０１は、中継装置１００に対して、例えばＳＤＰのプロトコルを使い、自分の通信したい相手のＰｒｏｆｉｌｅとサービスを問合せる。
【０１１１】
シーケンスでは、ＳｅｒｖｉｃｅＳｅｒｃｈＲｅｑを拡張して使い、通信したいＰｒｏｆｉｌｅをＯＰＰ、希望するサービスをＯｂｊｅｃｔＴｒａｎｓｆｅｒとしている（７００、７０１）。中継装置１００では、図５のメモリを参照して、携帯通信装置１０１の希望にかなうとともに、中継装置１００でプロファイル変換可能なＰｒｏｆｉｌｅを持つＢｌｕｅｔｏｏｔｈ装置のリストをＳＤＰのプロトコルを使い携帯通信装置１０１に返す。シーケンスでは、ＳｅｒｖｉｃｅＳｅｒｃｈＲｅｓを拡張して使い、撮像装置１０２(ＢＴ＿Ｂ)、印刷装置１０３（ＢＴ＿Ｃ）、ＰＤＡ １０４（ＢＴ＿Ｄ）のリストを携帯通信装置１０１に返している（７０２）。携帯通信装置１０１は、画像表示手段３２４に、図５のような形式で一覧表を表示し、通信するＢｌｕｅｔｏｏｔｈ装置を選択する。携帯通信装置１０１では、リストから撮像装置１０２（ＢＴ＿Ｂ）を選択し、中継装置１００に接続要求を送信する。シーケンスでは、ＯＰＰのＯＢＥＸプロトコルを使って、ＣｏｎｎｅｃｔＲｅｑによって、撮像装置１０２（ＢＴ＿Ｂ）へＯＰＰでＩｍａｇｅ Ｔｒａｎｓｆｅｒしたい旨を伝えている（７０３）。中継装置１００では、撮像装置１０２からの要求を受け、撮像装置１０２の持っているＰｒｏｆｉｌｅを図５のメモリで調査し、撮像装置１０２に対してＢＩＰでの接続を要求する。シーケンスでは、ＢＩＰのＯＢＥＸプロトコルを使って、ＣｏｎｎｅｃｔＩｎｄによって、携帯通信装置１０１（ＢＴ＿Ａ）へＢＩＰでＩｍａｇｅ Ｔｒａｎｓｆｅｒしたい旨を伝えている（７０４）。撮像装置１０２でこの要求が受け入れられ、Ｓｕｃｃｅｓｓ応答をかえすと（７０６）、中継装置１００では、携帯通信装置１０１にＳｕｃｃｅｓｓ応答を返す（７０５）。携帯通信装置１０１では、リスト表示された撮像装置１０２の能力情報を参照して、撮像装置１０２が利用可能な画像を選択し、送信する（７０７）。中継装置１００では、画像を受信し、撮像装置１０２に送信する（７０８）。
【０１１２】
図８は、本実施形態の中継装置１００が、携帯通信装置１０１、撮像装置１０２、印刷装置１０３、ＰＤＡ１０４と、問い合わせ（Ｉｎｑｕｉｒｙ）やサービス検索（ＳＤＰ）を行うフローチャートである。
【０１１３】
中継装置１００は、ＩｎｑｕｉｒｙでＢｌｕｅｔｏｏｔｈ端末（装置）を検索し(Ｓ８０１)、Ｉｎｑｕｉｒｙ Ｒｅｓｐｏｎｓｅを受信したかどうか、確認する（Ｓ８０２）。受信したなら応答したＢｌｕｅｔｏｏｔｈ端末のＢＤ＿ＡＤＤＲとＣｏＤ(Ｃｌａｓｓ ｏｆ Ｄｅｖｉｃｅ)を記憶する（Ｓ８０３）。つづいて、ＳＤＰでＢｌｕｅｔｏｏｔｈ端末のサービスを検索する（Ｓ８０４）。ＳＤＰ Ｒｅｓｐｏｎｓｅを受信したかどうか確認し（Ｓ８０５）、受信したＳＤＰよりＢｌｕｅｔｏｏｔｈ端末のＰｒｏｆｉｌｅを記憶する（Ｓ８０６）。ＰｒｏｆｉｌｅがＯＰＰの場合は（Ｓ８０７）、ＯＰＰより上位のプロとトコルで能力検索を要求し（Ｓ８１２）、能力Ｒｅｓｐｏｎｓｅを受信したなら（Ｓ８１３）、受信した能力を記憶する（Ｓ８１４）。
【０１１４】
ＰｒｏｆｉｌｅがＢＩＰの場合は(Ｓ８０８)、ＢＩＰのＧｅｔＣａｐａｂｉｌｉｔｉｅｓで能力検索を行い（Ｓ８０９）、受信したＧｅｔＣａｐａｂｉｌｉｔｉｅｓを記憶する（Ｓ８１１）。
【０１１５】
図９は、本実施形態の携帯通信装置１０１が、中継装置１００を経由して、撮像装置１０２とＢｌｕｅｔｏｏｔｈで通信するまでのフローチャートである。
【０１１６】
携帯通信装置１０１は、Ｂｌｕｅｔｏｏｔｈ端末をＩｎｑｕｉｒｙとＳＤＰで検索する（Ｓ９０１）。通信可能なＢｌｕｅｔｏｏｔｈ端末があると（Ｓ９０２）、携帯通信装置１０１は、検索したＢｌｕｅｔｏｏｔｈ端末へ直接接続する（Ｓ９１２）。通信可能な端末がないと、携帯通信装置１０１は、中継装置１００へＢｌｕｅｔｏｏｔｈで接続する（Ｓ９０３）。更に、ＳＤＰで中継装置１００に、通信可能なＢｌｕｅｔｏｏｔｈ端末を問合せる（Ｓ９０４）。携帯通信装置１０１は、ＳＤＰ Ｒｅｓｐｏｎｓｅを受信すると（Ｓ９０５）、ＳＤＰの内容をリスト化（形式化）して表示し（Ｓ９０６）、最適なＢｌｕｅｔｏｏｔｈ端末があるか検索する（Ｓ９０７）。最適なＢｌｕｅｔｏｏｔｈ端末があると、リストよりＢｌｕｅｔｏｏｔｈ端末を選択し（Ｓ９０８）、中継装置１００経由で発信する（Ｓ９０９）。中継装置１００より、相手からの応答を通知されると、携帯通信装置１０１で相手のＢｌｕｅｔｏｏｔｈ端末の能力に合わせて画像を送信する（Ｓ９１０）。中継装置１００では、双方のＰｒｏｆｉｌｅを認識しながら、それぞれのＰｒｏｆｉｌｅの整合性を取りながら、フロー制御し、画像を伝送する（Ｓ９１１）。
【０１１７】
以上、本実施形態では、ＯＰＰとＢＩＰに関して述べたが、Ｂｌｕｅｔｏｏｔｈで規定される他プロファイルに関しても、同様の手段を用いることにより、同様な効果が得られる。また、Ｂｌｕｅｔｏｏｔｈに限らず、プロファイルを通信規約として持つ他通信方式に関しても、同様の手段を用いることにより、同様な効果が得られる。
【図面の簡単な説明】
【０１１８】
【図１】無線通信システムの全体構成を示す図である。
【図２】撮像装置の概略構成を示すブロック図である。
【図３】携帯通信装置の詳細構成を示すブロック図である。
【図４】中継装置の機能ブロック図である。
【図５】各装置のサービスクラスと能力の関係を示す図である。
【図６】中継装置が問い合わせ（Ｉｎｑｕｉｒｙ）やサービス検索（ＳＤＰ）を行うシーケンスを説明する図である。
【図７】携帯通信装置がＢｌｕｅｔｏｏｔｈで通信するシーケンスを説明する図である。
【図８】中継装置が問い合わせ（Ｉｎｑｕｉｒｙ）やサービス検索（ＳＤＰ）を行う処理を説明するフローチャートである。
【図９】携帯通信装置がＢｌｕｅｔｏｏｔｈで通信する処理を説明するフローチャートである。
【符号の説明】
【０１１９】
１００  中継装置
１０１  携帯通信装置
１０２  撮像装置
１０３  印刷装置
１０４  ＰＤＡ
４０１  無線部
４０２  ベースバンド処理部
４０３  フラッシュメモリ
４０４  リンク制御部
４０５  制御部
４０６  ＲＡＭ
４０７  ＲＯＭ
４０８  操作部
４０９  表示部
【図１】
2009060163.tif 000003
【図２】
2009060163.tif 000004
【図３】
2009060163.tif 000005
【図４】
2009060163.tif 000006
【図５】
2009060163.tif 000007
【図６】
2009060163.tif 000008
【図７】
2009060163.tif 000009
【図８】
2009060163.tif 000010
【図９】
2009060163.tif 000011